【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の基地局によってサービスされるユーザ機器（ＵＥ）のために構成された複数のデータベアラを識別することと、
第２の基地局を識別する測定報告を前記ＵＥから受信することと、
前記第２の基地局に、前記複数のデータベアラのうちの少なくとも１つのデータベアラをオフロードすることを判断することと、
前記第１の基地局が、前記第２の基地局に前記少なくとも１つのデータベアラをオフロードするために前記第２の基地局と通信することと、ここにおいて、前記ＵＥのためのデータが、前記第１の基地局および前記第２の基地局を通して前記複数のデータベアラを介して送られる、
前記第１の基地局から前記第２の基地局に前記少なくとも１つのデータベアラのためのデータをフォワーディングすることと、
前記第１の基地局が、前記第２の基地局において前記少なくとも１つのデータベアラの処理を変更することを判断することと、
前記第１の基地局が、前記少なくとも１つのデータベアラの処理を変更するために前記第２の基地局と通信することとを備える、方法。
【請求項２】
前記第１の基地局が、前記少なくとも１つのデータベアラをオフロードするために前記第２の基地局と前記通信することは、
前記第１の基地局から前記第２の基地局にオフロード要求メッセージを送ることを備え、前記オフロード要求メッセージが、前記第２の基地局にオフロードされている前記少なくとも１つのデータベアラを搬送する、請求項１に記載の方法。
【請求項３】
前記オフロード要求メッセージが、前記少なくとも１つのデータベアラについてのサービス品質（ＱｏＳ）情報をさらに含む、請求項２に記載の方法。
【請求項４】
前記第１の基地局から前記ＵＥに再構成メッセージを送ることをさらに備え、前記再構成メッセージが、前記第２の基地局にオフロードされている前記少なくとも１つのデータベアラに関連する少なくとも１つの無線アクセスベアラについての無線リソース構成情報を含む、請求項１に記載の方法。
【請求項５】
前記第２の基地局において前記少なくとも１つのデータベアラの処理を変更することを前記判断することが、
前記第１の基地局において前記ＵＥから第２の測定報告を受信することと、
前記第２の測定報告に基づいて、前記第２の基地局から前記少なくとも１つのデータベアラの処理を変更することを判断することとを備える、請求項１に記載の方法。
【請求項６】
前記第１の基地局が、前記少なくとも１つのデータベアラの処理を変更するために前記第２の基地局と前記通信することが、
前記第２の基地局において前記少なくとも１つのデータベアラを変更するために前記第１の基地局から前記第２の基地局に変更要求メッセージを送ることを備える、請求項１に記載の方法。
【請求項７】
前記第１の基地局から前記ＵＥに再構成メッセージを送ることをさらに備え、前記再構成メッセージは、前記第２の基地局において処理が変更されている前記少なくとも１つのデータベアラに関連する１つまたは複数の無線アクセスベアラについての無線リソース構成情報を含む、請求項１に記載の方法。
【請求項８】
ワイヤレス通信の方法であって、
第１の基地局によってサービスされるユーザ機器（ＵＥ）のために構成された複数のデータベアラを識別することと、
第２の基地局を識別する測定報告を前記ＵＥから受信することと、
前記第２の基地局に、前記複数のデータベアラのうちの少なくとも１つのデータベアラをオフロードすることを判断することと、
前記第１の基地局が、前記第２の基地局に前記少なくとも１つのデータベアラをオフロードするために前記第２の基地局と通信することと、
前記第２の基地局にオフロードされている前記少なくとも１つのデータベアラを搬送するためにモビリティ管理エンティティ（ＭＭＥ）と通信することと、ここにおいて、前記ＵＥのためのデータが、前記第１の基地局および前記第２の基地局を通して前記複数のデータベアラを介して送られる、
前記第１の基地局が、前記第２の基地局において前記少なくとも１つのデータベアラの処理を変更することを判断することと、
前記第１の基地局が、前記少なくとも１つのデータベアラの処理を変更するために前記第２の基地局と通信することとを備える、方法。
【請求項９】
前記第１の基地局から前記ＵＥに再構成メッセージを送ることをさらに備え、前記再構成メッセージが、前記第２の基地局にオフロードされている前記少なくとも１つのデータベアラに関連する少なくとも１つの無線アクセスベアラについての無線リソース構成情報を含む、請求項８に記載の方法。
【請求項１０】
前記第２の基地局において前記少なくとも１つのデータベアラの処理を変更することを前記判断することが、
前記第１の基地局において前記ＵＥから第２の測定報告を受信することと、
前記第２の測定報告に基づいて、前記第２の基地局において前記少なくとも１つのデータベアラの処理を変更することを判断することとを備える、請求項８に記載の方法。
【請求項１１】
前記第１の基地局が、前記少なくとも１つのデータベアラの処理を変更するために前記第２の基地局と前記通信することが、
前記第２の基地局において前記少なくとも１つのデータベアラを変更するために前記第１の基地局から前記第２の基地局に変更要求メッセージを送ることを備える、請求項８に記載の方法。
【請求項１２】
前記第１の基地局から前記ＵＥに再構成メッセージを送ることをさらに備え、前記再構成メッセージは、前記第２の基地局において処理が変更されている前記少なくとも１つのデータベアラに関連する１つまたは複数の無線アクセスベアラについての無線リソース構成情報を含む、請求項８に記載の方法。
【請求項１３】
ワイヤレス通信の方法であって、
第１の基地局から第２の基地局に送られたオフロード要求メッセージを受信することと、前記オフロード要求メッセージが、前記第２の基地局にオフロードするために少なくとも１つのデータベアラを搬送し、前記少なくとも１つのデータベアラが、ユーザ機器（ＵＥ）のために構成された複数のデータベアラのうちにある、
前記第２の基地局において前記ＵＥの前記少なくとも１つのデータベアラを承認することと、
前記第２の基地局において、前記第１の基地局から前記少なくとも１つのデータベアラのためのデータを受信することと、
前記第２の基地局を介して前記ＵＥの前記少なくとも１つのデータベアラのための前記データを交換することと、
前記第２の基地局において前記少なくとも１つのデータベアラの処理を変更するために、前記第１の基地局から前記第２の基地局に送られた変更要求メッセージを受信することと、
前記少なくとも１つのデータベアラのためのデータの前記ＵＥとの交換を終了することとを備える、方法。
【請求項１４】
ワイヤレス通信のために構成された装置であって、
第１の基地局によってサービスされるユーザ機器（ＵＥ）のために構成された複数のデータベアラを識別するための手段と、
第２の基地局を識別する測定報告を前記ＵＥから受信するための手段と、
前記第２の基地局に、前記複数のデータベアラのうちの少なくとも１つのデータベアラをオフロードすることを判断するための手段と、
前記第１の基地局が、前記第２の基地局に前記少なくとも１つのデータベアラをオフロードするために前記第２の基地局と通信するための手段と、ここにおいて、前記ＵＥのためのデータが、前記第１の基地局および前記第２の基地局を通して前記複数のデータベアラを介して送られる、
前記第１の基地局から前記第２の基地局に前記少なくとも１つのデータベアラのためのデータをフォワーディングするための手段と、
前記第１の基地局が、前記第２の基地局において前記少なくとも１つのデータベアラの処理を変更することを判断するための手段と、
前記第１の基地局が、前記少なくとも１つのデータベアラの処理を変更するために前記第２の基地局と通信するための手段とを備える、装置。
【請求項１５】
前記第１の基地局が、前記少なくとも１つのデータベアラをオフロードするために前記第２の基地局と通信するための前記手段は、
前記第１の基地局から前記第２の基地局にオフロード要求メッセージを送るための手段を備え、前記オフロード要求メッセージが、前記第２の基地局にオフロードされている前記少なくとも１つのデータベアラを搬送する、請求項１４に記載の装置。
【請求項１６】
前記オフロード要求メッセージが、前記少なくとも１つのデータベアラについてのサービス品質（ＱｏＳ）情報をさらに含む、請求項１５に記載の装置。
【請求項１７】
前記第１の基地局から前記ＵＥに再構成メッセージを送るための手段をさらに備え、前記再構成メッセージが、前記第２の基地局にオフロードされている前記少なくとも１つのデータベアラに関連する少なくとも１つの無線アクセスベアラについての無線リソース構成情報を含む、請求項１４に記載の装置。
【請求項１８】
前記第２の基地局において前記少なくとも１つのデータベアラの処理を変更することを判断するための前記手段が、
前記第１の基地局において前記ＵＥから第２の測定報告を受信するための手段と、
前記第２の測定報告に基づいて、前記第２の基地局において前記少なくとも１つのデータベアラの処理を変更することを判断するための手段とを備える、請求項１４に記載の装置。
【請求項１９】
前記第１の基地局が、前記少なくとも１つのデータベアラの処理を変更するために前記第２の基地局と通信するための前記手段は、
前記第２の基地局において前記少なくとも１つのデータベアラを変更するために前記第１の基地局から前記第２の基地局に変更要求メッセージを送るための手段を備える、請求項１４に記載の装置。
【請求項２０】
前記第１の基地局から前記ＵＥに再構成メッセージを送るための手段をさらに備え、前記再構成メッセージは、前記第２の基地局において処理が変更されている前記少なくとも１つのデータベアラに関連する１つまたは複数の無線アクセスベアラについての無線リソース構成情報を含む、請求項１４に記載の装置。
【請求項２１】
ワイヤレス通信のために構成された装置であって、
第１の基地局によってサービスされるユーザ機器（ＵＥ）のために構成された複数のデータベアラを識別するための手段と、
第２の基地局を識別する測定報告を前記ＵＥから受信するための手段と、
前記第２の基地局に、前記複数のデータベアラのうちの少なくとも１つのデータベアラをオフロードすることを判断するための手段と、
前記第１の基地局が、前記第２の基地局に前記少なくとも１つのデータベアラをオフロードするために前記第２の基地局と通信するための手段と、
前記第２の基地局にオフロードされている前記少なくとも１つのデータベアラを搬送するためにモビリティ管理エンティティ（ＭＭＥ）と通信するための手段と、ここにおいて、前記ＵＥのためのデータが、前記第１の基地局および前記第２の基地局を通して前記複数のデータベアラを介して送られる、
前記第１の基地局が、前記第２の基地局において少なくとも１つのデータベアラの処理を変更することを判断するための手段と、
前記第１の基地局が、前記少なくとも１つのデータベアラの処理を変更するために前記第２の基地局と通信するための手段とを備える、装置。
【請求項２２】
前記第１の基地局から前記ＵＥに再構成メッセージを送るための手段をさらに備え、前記再構成メッセージが、前記第２の基地局にオフロードされている前記少なくとも１つのデータベアラに関連する少なくとも１つの無線アクセスベアラについての無線リソース構成情報を含む、請求項２１に記載の装置。
【請求項２３】
前記第２の基地局において前記少なくとも１つのデータベアラを処理することを変更することを判断するための前記手段が、
前記第１の基地局において前記ＵＥから第２の測定報告を受信するための手段と、
前記第２の測定報告に基づいて、前記第２の基地局において前記少なくとも１つのデータベアラの処理を変更することを判断するための手段とを備える、請求項２１に記載の装置。
【請求項２４】
前記第１の基地局が、前記少なくとも１つのデータベアラを処理することを変更するために前記第２の基地局と通信するための前記手段は、
前記第２の基地局において前記少なくとも１つのデータベアラを変更するために前記第１の基地局から前記第２の基地局に変更要求メッセージを送るための手段を備える、請求項２１に記載の装置。
【請求項２５】
前記第１の基地局から前記ＵＥに再構成メッセージを送るための手段をさらに備え、前記再構成メッセージは、前記第２の基地局において処理が変更されている前記少なくとも１つのデータベアラに関連する１つまたは複数の無線アクセスベアラについての無線リソース構成情報を含む、請求項２１に記載の装置。
【請求項２６】
ワイヤレス通信のために構成された装置であって、
第１の基地局から第２の基地局に送られたオフロード要求メッセージを受信するための手段と、前記オフロード要求メッセージが、前記第２の基地局にオフロードするために少なくとも１つのデータベアラを搬送し、前記少なくとも１つのデータベアラが、ユーザ機器（ＵＥ）のために構成された複数のデータベアラのうちにある、
前記第２の基地局において前記ＵＥの前記少なくとも１つのデータベアラを承認するための手段と、
前記第２の基地局において、前記第１の基地局から前記少なくとも１つのデータベアラのためのデータを受信するための手段と、
前記第２の基地局を介して前記ＵＥの前記少なくとも１つのデータベアラのための前記データを交換するための手段と、
前記第２の基地局において前記少なくとも１つのデータベアラの処理を変更するために、前記第１の基地局から前記第２の基地局に送られた変更要求メッセージを受信するための手段と、
前記少なくとも１つのデータベアラのためのデータの前記ＵＥとの交換を終了するための手段とを備える、装置。
【請求項２７】
プログラムコードを記録した非一時的コンピュータ可読媒体であって、前記プログラムコードは、
第１の基地局によってサービスされるユーザ機器（ＵＥ）のために構成された複数のデータベアラを識別することをコンピュータに行わせるためのプログラムコードと、
第２の基地局を識別する測定報告を前記ＵＥから受信することを前記コンピュータに行わせるためのプログラムコードと、
前記第２の基地局に、前記複数のデータベアラのうちの少なくとも１つのデータベアラをオフロードすることを判断することを前記コンピュータに行わせるためのプログラムコードと、
前記第１の基地局が、前記第２の基地局に前記少なくとも１つのデータベアラをオフロードするために前記第２の基地局と通信することを前記コンピュータに行わせるためのプログラムコードと、ここにおいて、前記ＵＥのためのデータが、前記第１の基地局および前記第２の基地局を通して前記複数のデータベアラを介して送られる、
前記第１の基地局から前記第２の基地局に前記少なくとも１つのデータベアラのためのデータをフォワーディングすることを前記コンピュータに行わせるためのプログラムコードと、
前記第１の基地局が、前記第２の基地局において前記少なくとも１つのデータベアラの処理を変更することを判断することを前記コンピュータに行わせるためのプログラムコードと、
前記第１の基地局が、前記少なくとも１つのデータベアラの処理を変更するために前記第２の基地局と通信することを前記コンピュータに行わせるためのプログラムコードとを含む、非一時的コンピュータ可読媒体。
【請求項２８】
プログラムコードを記録した非一時的コンピュータ可読媒体であって、前記プログラムコードは、
第１の基地局によってサービスされるユーザ機器（ＵＥ）のために構成された複数のデータベアラを識別することをコンピュータに行わせるためのプログラムコードと、
第２の基地局を識別する測定報告を前記ＵＥから受信することを前記コンピュータに行わせるためのプログラムコードと、
前記第２の基地局に、前記複数のデータベアラのうちの少なくとも１つのデータベアラをオフロードすることを判断することを前記コンピュータに行わせるためのプログラムコードと、
前記第１の基地局が、前記第２の基地局に前記少なくとも１つのデータベアラをオフロードするために前記第２の基地局と通信することを前記コンピュータに行わせるためのプログラムコードと、
前記第２の基地局にオフロードされている前記少なくとも１つのデータベアラを搬送するためにモビリティ管理エンティティ（ＭＭＥ）と通信することを前記コンピュータに行わせるためのプログラムコードと、ここにおいて、前記ＵＥのためのデータが、前記第１の基地局および前記第２の基地局を通して前記複数のデータベアラを介して送られる、
前記第１の基地局が、前記第２の基地局において前記少なくとも１つのデータベアラの処理を変更することを判断することを前記コンピュータに行わせるためのプログラムコードと、
前記第１の基地局が、前記少なくとも１つのデータベアラの処理を変更するために前記第２の基地局と通信することを前記コンピュータに行わせるためのプログラムコードとを含む、非一時的コンピュータ可読媒体。
【請求項２９】
プログラムコードを記録した非一時的コンピュータ可読媒体であって、前記プログラムコードは、
第１の基地局から第２の基地局に送られたオフロード要求メッセージを受信することをコンピュータに行わせるためのプログラムコードと、前記オフロード要求メッセージが、前記第２の基地局にオフロードするために少なくとも１つのデータベアラを搬送し、前記少なくとも１つのデータベアラが、ユーザ機器（ＵＥ）のために構成された複数のデータベアラのうちにある、
前記第２の基地局において前記ＵＥの前記少なくとも１つのデータベアラを承認することを前記コンピュータに行わせるためのプログラムコードと、
前記第２の基地局において、前記第１の基地局から前記少なくとも１つのデータベアラのためのデータを受信することを前記コンピュータに行わせるためのプログラムコードと、
前記第２の基地局を介して前記ＵＥの前記少なくとも１つのデータベアラのための前記データを交換することを前記コンピュータに行わせるためのプログラムコードと、
前記第２の基地局において前記少なくとも１つのデータベアラの処理を変更するために、前記第１の基地局から前記第２の基地局に送られた変更要求メッセージを受信することを前記コンピュータに行わせるためのプログラムコードと、
前記少なくとも１つのデータベアラのためのデータの前記ＵＥとの交換を終了することを前記コンピュータに行わせるためのプログラムコードとを含む、非一時的コンピュータ可読媒体。
【請求項３０】
ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサは、
第１の基地局によってサービスされるユーザ機器（ＵＥ）のために構成された複数のデータベアラを識別することと、
第２の基地局を識別する測定報告を前記ＵＥから受信することと、
前記第２の基地局に、前記複数のデータベアラのうちの少なくとも１つのデータベアラをオフロードすることを判断することと、
前記第１の基地局が、前記第２の基地局に前記少なくとも１つのデータベアラをオフロードするために前記第２の基地局と通信することと、ここにおいて、前記ＵＥのためのデータが、前記第１の基地局および前記第２の基地局を通して前記複数のデータベアラを介して送られる、
前記第１の基地局から前記第２の基地局に前記少なくとも１つのデータベアラのためのデータをフォワーディングすることと、
前記第１の基地局が、前記第２の基地局において前記少なくとも１つのデータベアラの処理を変更することを判断することと、
前記第１の基地局が、前記少なくとも１つのデータベアラの処理を変更するために前記第２の基地局と通信することとを行うように構成された、装置。
【請求項３１】
ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサは、
第１の基地局によってサービスされるユーザ機器（ＵＥ）のために構成された複数のデータベアラを識別することと、
第２の基地局を識別する測定報告を前記ＵＥから受信することと、
前記第２の基地局に、前記複数のデータベアラのうちの少なくとも１つのデータベアラをオフロードすることを判断することと、
前記第１の基地局が、前記第２の基地局に前記少なくとも１つのデータベアラをオフロードするために前記第２の基地局と通信することと、
前記第２の基地局にオフロードされている前記少なくとも１つのデータベアラを搬送するためにモビリティ管理エンティティ（ＭＭＥ）と通信することと、ここにおいて、前記ＵＥのためのデータが、前記第１の基地局および前記第２の基地局を通して前記複数のデータベアラを介して送られる、
前記第１の基地局が、前記第２の基地局において前記少なくとも１つのデータベアラの処理を変更することを判断することと、
前記第１の基地局が、前記少なくとも１つのデータベアラの処理を変更するために前記第２の基地局と通信することとを行うように構成された、装置。
【請求項３２】
ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサは、
第１の基地局から第２の基地局に送られたオフロード要求メッセージを受信することと、前記オフロード要求メッセージが、前記第２の基地局にオフロードするために少なくとも１つのデータベアラを搬送し、前記少なくとも１つのデータベアラが、ユーザ機器（ＵＥ）のために構成された複数のデータベアラのうちにある、
前記第２の基地局において前記ＵＥの前記少なくとも１つのデータベアラを承認することと、
前記第２の基地局において、前記第１の基地局から前記少なくとも１つのデータベアラのためのデータを受信することと、
前記第２の基地局を介して前記ＵＥの前記少なくとも１つのデータベアラのための前記データを交換することと、
前記第２の基地局において前記少なくとも１つのデータベアラの処理を変更するために、前記第１の基地局から前記第２の基地局に送られた変更要求メッセージを受信することと、
前記少なくとも１つのデータベアラのためのデータの前記ＵＥとの交換を終了することとを行うように構成された、装置。
【請求項３３】
前記第１の基地局が、前記少なくとも１つのデータベアラをオフロードするために前記第２の基地局と通信することを前記コンピュータに行わせるための前記プログラムコードは、
前記第１の基地局から前記第２の基地局にオフロード要求メッセージを送ることを前記コンピュータに行わせるためのプログラムコードを備え、前記オフロード要求メッセージが、前記第２の基地局にオフロードされている前記少なくとも１つのデータベアラを搬送する、請求項２７に記載の非一時的コンピュータ可読媒体。
【請求項３４】
前記オフロード要求メッセージが、前記少なくとも１つのデータベアラについてのサービス品質（ＱｏＳ）情報をさらに含む、請求項３３に記載の非一時的コンピュータ可読媒体。
【請求項３５】
前記第１の基地局から前記ＵＥに再構成メッセージを送ることを前記コンピュータに行わせるためのプログラムコードをさらに備え、前記再構成メッセージが、前記第２の基地局にオフロードされている前記少なくとも１つのデータベアラに関連する少なくとも１つの無線アクセスベアラについての無線リソース構成情報を含む、請求項２７に記載の非一時的コンピュータ可読媒体。
【請求項３６】
前記第２の基地局において前記少なくとも１つのデータベアラの処理を変更することを判断することを前記コンピュータに行わせるためのプログラムコードが、
前記第１の基地局において前記ＵＥから第２の測定報告を受信することを前記コンピュータに行わせるためのプログラムコードと、
前記第２の測定報告に基づいて、前記第２の基地局において前記少なくとも１つのデータベアラの処理を変更することを判断することを前記コンピュータに行わせるためのプログラムコードとを備える、請求項２７に記載の非一時的コンピュータ可読媒体。
【請求項３７】
前記第１の基地局が、前記少なくとも１つのデータベアラの処理を変更するために前記第２の基地局と前記通信することを前記コンピュータに行わせるための前記プログラムコードが、
前記第２の基地局において前記少なくとも１つのデータベアラを変更するために前記第１の基地局から前記第２の基地局に変更要求メッセージを送ることを前記コンピュータに行わせるためのプログラムコードを備える、請求項２７に記載の非一時的コンピュータ可読媒体。
【請求項３８】
前記第１の基地局から前記ＵＥに再構成メッセージを送ることを前記コンピュータに行わせるためのプログラムコードをさらに備え、前記再構成メッセージは、前記第２の基地局において処理が変更されている前記少なくとも１つのデータベアラに関連する１つまたは複数の無線アクセスベアラについての無線リソース構成情報を含む、請求項２７に記載の非一時的コンピュータ可読媒体。
【請求項３９】
前記第１の基地局から前記ＵＥに再構成メッセージを送ることを前記コンピュータに行わせるためのプログラムコードをさらに備え、前記再構成メッセージが、前記第２の基地局にオフロードされている前記少なくとも１つのデータベアラに関連する少なくとも１つの無線アクセスベアラについての無線リソース構成情報を含む、請求項２８に記載の非一時的コンピュータ可読媒体。
【請求項４０】
前記第２の基地局において前記少なくとも１つのデータベアラの処理を変更することを判断することを前記コンピュータに行わせるための前記プログラムコードが、
前記第１の基地局において前記ＵＥから第２の測定報告を受信することを前記コンピュータに行わせるためのプログラムコードと、
前記第２の測定報告に基づいて、前記第２の基地局において前記少なくとも１つのデータベアラの処理を変更することを判断することを前記コンピュータに行わせるためのプログラムコードとを備える、請求項２８に記載の非一時的コンピュータ可読媒体。
【請求項４１】
前記第１の基地局が、前記少なくとも１つのデータベアラの処理を変更するために前記第２の基地局と通信することを前記コンピュータに行わせるための前記プログラムコードが、
前記第２の基地局において前記少なくとも１つのデータベアラを変更するために前記第１の基地局から前記第２の基地局に変更要求メッセージを送ることを前記コンピュータに行わせるためのプログラムコードを備える、請求項２８に記載の非一時的コンピュータ可読媒体。
【請求項４２】
前記第１の基地局から前記ＵＥに再構成メッセージを送ることを前記コンピュータに行わせるためのプログラムコードをさらに備え、前記再構成メッセージは、前記第２の基地局において処理が変更されている前記少なくとも１つのデータベアラに関連する１つまたは複数の無線アクセスベアラについての無線リソース構成情報を含む、請求項２８に記載の非一時的コンピュータ可読媒体。
【請求項４３】
前記第１の基地局が、前記少なくとも１つのデータベアラをオフロードするために前記第２の基地局と通信するための前記少なくとも１つのプロセッサの前記構成は、
前記第１の基地局から前記第２の基地局にオフロード要求メッセージを送るための前記少なくとも１つのプロセッサの構成を備え、前記オフロード要求メッセージが、前記第２の基地局にオフロードされている前記少なくとも１つのデータベアラを搬送する、請求項３０に記載の装置。
【請求項４４】
前記オフロード要求メッセージが、前記少なくとも１つのデータベアラについてのサービス品質（ＱｏＳ）情報をさらに含む、請求項４３に記載の装置。
【請求項４５】
前記第１の基地局から前記ＵＥに再構成メッセージを送るための前記少なくとも１つのプロセッサの構成をさらに備え、前記再構成メッセージが、前記第２の基地局にオフロードされている前記少なくとも１つのデータベアラに関連する少なくとも１つの無線アクセスベアラについての無線リソース構成情報を含む、請求項３０に記載の装置。
【請求項４６】
前記第２の基地局において前記少なくとも１つのデータベアラの処理を変更することを判断するための前記少なくとも１つのプロセッサの前記構成が、
前記第１の基地局において前記ＵＥから第２の測定報告を受信することと、
前記第２の測定報告に基づいて、前記第２の基地局において前記少なくとも１つのデータベアラの処理を変更することを判断することと
を行うための前記少なくとも１つのプロセッサの構成を備える、請求項３０に記載の装置。
【請求項４７】
前記第１の基地局が、前記少なくとも１つのデータベアラの処理を変更するために前記第２の基地局と通信するための前記少なくとも１つのプロセッサの前記構成が、
前記第２の基地局において前記少なくとも１つのデータベアラを変更するために前記第１の基地局から前記第２の基地局に変更要求メッセージを送るための前記少なくとも１つのプロセッサの構成を備える、請求項３０に記載の装置。
【請求項４８】
前記第１の基地局から前記ＵＥに再構成メッセージを送るための前記少なくとも１つのプロセッサの構成をさらに備え、前記再構成メッセージは、前記第２の基地局において処理が変更されている前記少なくとも１つのデータベアラに関連する１つまたは複数の無線アクセスベアラについての無線リソース構成情報を含む、請求項３０に記載の装置。
【請求項４９】
前記第１の基地局から前記ＵＥに再構成メッセージを送るための前記少なくとも１つのプロセッサの構成をさらに備え、前記再構成メッセージが、前記第２の基地局にオフロードされている前記少なくとも１つのデータベアラに関連する少なくとも１つの無線アクセスベアラについての無線リソース構成情報を含む、請求項３１に記載の装置。
【請求項５０】
前記第２の基地局において前記少なくとも１つのデータベアラの処理を変更することを判断するための前記少なくとも１つのプロセッサの前記構成が、
前記第１の基地局において前記ＵＥから第２の測定報告を受信することと、
前記第２の測定報告に基づいて、前記第２の基地局において前記少なくとも１つのデータベアラの処理を変更することを判断することと、
を行うための前記少なくとも１つの構成を備える、請求項３１に記載の装置。
【請求項５１】
前記第１の基地局が、前記少なくとも１つのデータベアラの処理を変更するために前記第２の基地局と通信するための前記少なくとも１つのプロセッサの前記構成が、
前記第２の基地局において前記少なくとも１つのデータベアラを変更するために前記第１の基地局から前記第２の基地局に変更要求メッセージを送るための前記少なくとも１つのプロセッサの構成を備える、請求項３１に記載の装置。
【請求項５２】
前記第１の基地局から前記ＵＥに再構成メッセージを送るための前記少なくとも１つのプロセッサの構成をさらに備え、前記再構成メッセージは、前記第２の基地局において処理が変更されている前記少なくとも１つのデータベアラに関連する１つまたは複数の無線アクセスベアラについての無線リソース構成情報を含む、請求項３１に記載の装置。